(57)【特許請求の範囲】
【請求項１】
一体成型により形成され、大きさや形状の異なる個々に密封された贈答用の複数の菓子を配送可能に収容する収容部を有する菓子詰め合わせ容器であって、
前記収容部の周囲に複数のローソク立て用の穴を配設し、
前記収容部の底部に前記複数の菓子の位置を規制する規制部材を設け、
前記収容部は、底部に向けてボール状に形成されるとともに、
前記規制部材は、前記収容部の底部中央に、前記複数の菓子を全体として規制するように設けられることを特徴とする菓子詰め合わせ容器。
【請求項２】
請求項１に記載の菓子詰め合わせ容器において、
前記収容部に収容された菓子の上部は、クッション材を介して蓋体で覆われることを特徴とする菓子詰め合わせ容器。
【請求項３】
請求項２に記載の菓子詰め合わせ容器において、
前記蓋体は、透明なセロハンにより形成されることを特徴とする菓子詰め合わせ容器。
【請求項４】
一体成型により形成され、大きさや形状の異なる個々に密封された贈答用の複数の菓子を配送可能に収容する収容部を有する菓子詰め合わせ容器であって、
前記収容部の周囲に複数のローソク立て用の穴を配設し、
前記収容部の底部に前記複数の菓子の位置を規制する規制部材を設け、
前記規制部材は、前記収容部の底部中央に、前記複数の菓子を全体として規制するように設けられるとともに、前記規制部材の内側にさらに菓子収容部を有し、
前記容器の縁部が上方に立ち上がり、その縁部の上端から略水平方向に延在する水平部と、前記水平部に対して隆起する隆起部とを設け、
前記収容部はその底部が前記水平部よりも下方に位置するように前記隆起部の内側に設けられ、前記穴は前記隆起部に配設され、
前記穴の外側にさらに他の贈答用収容物を収容する収容部を設け、
前記穴は、下方部で径が小さい段付き形状をなす、もしくは前記穴の縁部から内径側に突出した突出部を有することを特徴とする菓子詰め合わせ容器。
【発明の詳細な説明】
【０００１】
【発明の属する技術分野】
本発明は、和菓子や洋菓子などを詰め合わせて贈答するのに好適な菓子詰め合わせ容器に関する。
【０００２】
【従来の技術】
一般に、饅頭などの和菓子を詰め合わせる容器として、合成樹脂等により成型したトレー状の容器が知られている。この容器は個々の菓子の形状に合わせて成型され、この容器に菓子が所定数（例えば１２個や１６個）配列されて、箱詰めされる。このように詰め合わされた菓子は配送が容易であり、日持ちもするため贈答用として好まれる。
【０００３】
また、従来より、誕生日などには年齢に応じた数のローソクを立てて祝うことが行われており、この場合には和菓子ではなくデコレーションケーキが用いられる。
【０００４】
【発明が解決しようとする課題】
しかしながら、ケーキは型崩れを起こしやく、また、日持ちも悪いため、誕生日等に遠隔地の友人や親類などに配送するのは困難である。
【０００５】
本発明の目的は、誕生日用の贈答品としても好適な和菓子や洋菓子などを詰め合わせた容器を提供することにある。
【０００６】
【課題を解決するための手段】
一実施の形態を示す図面を参照して説明する。
（１）請求項１の発明は、一体成型により形成され、大きさや形状の異なる個々に密封された贈答用の複数の菓子を配送可能に収容する収容部１２を有する菓子詰め合わせ容器であって、収容部１２の周囲に複数のローソク立て用の穴１４，２０を配設し、収容部１２の底部に複数の菓子の位置を規制する規制部材１３を設け、収容部１２を、底部に向けてボール状に形成するとともに、規制部材１３を、収容部１２の底部中央に、複数の菓子を全体として規制するように設けることにより上述した目的は達成される。
（２）請求項２の発明は、請求項１に記載の菓子詰め合わせ容器において、収容部１２に収容された菓子の上部を、クッション材を介して蓋体３で覆うものである。
（３）請求項３の発明は、請求項２に記載の菓子詰め合わせ容器において、蓋体３を、透明なセロハン３ｂにより形成したものである。
（４）請求項４の発明は、一体成型により形成され、大きさや形状の異なる個々に密封された贈答用の複数の菓子を配送可能に収容する収容部１２を有する菓子詰め合わせ容器であって、収容部１２の周囲に複数のローソク立て用の穴１４，２０を配設し、収容部１２の底部に前記複数の菓子の位置を規制する規制部材１３を設け、規制部材１３を、収容部１２の底部中央に、前記複数の菓子を全体として規制するように設けるとともに、規制部材１３の内側にさらに菓子収容部を有し、容器１の縁部が上方に立ち上がり、その縁部の上端から略水平方向に延在する水平部と、水平部に対して隆起する隆起部１１とを設け、収容部１２をその底部が水平部よりも下方に位置するように隆起部１１の内側に設け、穴１４，２０を隆起部１１に配設し、穴１４，２０の外側にさらに他の贈答用収容物を収容する収容部１７〜１９を設け、穴１４，２０を、下方部で径が小さい段付き形状とする、もしくは穴２０の縁部２０ａから内径側に突出した突出部２０ｂを有することにより上述した目的を達成する。
【０００７】
なお、本発明の構成を説明する上記課題を解決するための手段の項では、本発明を分かり易くするために発明の実施の形態の図を用いたが、これにより本発明が実施の形態に限定されるものではない。
【０００８】
【発明の実施の形態】
以下、図１〜図４を参照して本発明の実施の形態について説明する。
図１は、本発明の実施の形態に係わる菓子詰め合わせ容器の斜視図であり、図２は図１のII-II線断面図、図３は図１のIII-III線断面図である。図１〜３に示すように、本実施の形態に係わる菓子詰め合わせ容器１は、全体が略矩形状に形成され、その底部は全周が箱２で覆われ、上部はケース３により蓋をするようになっている。ケース３の内側には窓枠３ａが設けられ、窓枠３ａは透明なセロハン３ｂで覆われている。
【０００９】
容器１にはその大半を占めるようにリング状の土手１１が形成され、土手１１の内側には菓子を収容するためのボール状の窪み１２が設けられている。窪み１２の底部には菓子の位置を規制する仕切１３が設けられている。土手１１にはローソク立て用の複数（例えば１８個）の有底孔１４が設けられ、有底孔１４は下方部で径が小さい段付き形状となっている。これにより、有底孔１４には径の異なる大小２種類のローソクを立てることが可能となる。土手１１の外側には略矩形状の土手１５,１６がそれぞれ設けられ、これらの土手１５,１６の内側には窪み１７,１８が設けられている。窪み１７,１８の大きさ、深さは互いに異なって形成されており、この窪み１７,１８にサイズの異なる複数のプレゼントなどを収容できる。
【００１０】
このように容器１は、上下方向に複数の凹凸部が設けられており、プラスチックなどの合成樹脂により周知の方法で一体に成型される。なお、容器１の表面は金色等の装飾性の高い色に色付けされている。
【００１１】
図４は、菓子詰め合わせ容器を誕生日用プレゼントとして用いた場合の例を示す図である。図４に示すように、ボール状の窪み１２には個々に密封された和菓子や洋菓子（例えば饅頭、羊羹、クッキー、ゼリー、チョコレートなど）が収容されている。窪み１２の底部には仕切１３が設けられているので、この仕切１３を利用して菓子を容易に見栄えよく配置することできる。また、矩形状の窪み１７には干支のキーホルダーやお守りなどの記念品が収容され、窪み１８には人形などのプレゼントが収容されている。
【００１２】
土手１１の有底孔１４には年齢に応じた数のローソク２１,２２が立てられている。これによって、バースデー気分を存分に味わうことができる。この場合、大径のローソク２１が１本で１０歳、小径のローソク２２が１本で１歳に相当するとすれば、１８個の有底孔１４により９９歳（大９本、小９本）までのローソク２１,２２を立てることができる。なお、図では３２歳（大３本、小２本）に相当するローソク２１,２２が立てられており、予備のローソク２１,２２は窪み１７に収容される。各ローソク２１,２２の下部にはアルミ箔が巻かれている。
【００１３】
配送時には窪み１７に所定数のローソク（例えば大小各１０本）が収容される。そして、図４に示すように、窪み１２,１７,１８に菓子やプレゼントなどを収容し、その上から薄いスポンジのクッション材などを敷設して、ケース３で蓋をする。これによって、収容物の位置ずれが防止される。
【００１４】
このように本実施の形態によると、菓子詰め合わせ容器１に和菓子や洋菓子を収容するためのボール状の窪み１２を設け、その周囲の土手１１にローソク立て用の複数の有底孔１４を設けるようにしたので、和菓子や洋菓子を囲むようにローソクを立てることができ、バースデー気分を味わうことができる。また、和菓子や洋菓子はケーキと比べて型崩れもなく、日持ちもするため、遠隔地への輸送も容易である。この場合、有底孔１４を段付き形状としたので、大小２種類のローソク２１,２２を立てることができ、有底孔１４の数を少なくすることができる。さらに、窪み１２の周囲にリング状の土手１１を設けるようにしたので、容器１の剛性を強化することができるとともに、窪み１２を深くして菓子を収容するための容積を大きくすることができる。また、土手１１を設けたことで視覚的にも優れたものとなる。
【００１５】
さらに、窪み１２の底部に位置規制用の仕切１３を設けるようにしたので、大きさや形状の異なる多種類の菓子を容易に詰め合わせることができる。さらにまた、ボール状の窪み１２の外側に矩形状の窪み１７,１８を設けるようにしたので、記念品やプレゼントなどを併せて贈答することができる。また、和菓子や洋菓子を収容するので、汚れが少なく、再利用も可能である。さらに、和菓子や洋菓子は甘さや硬さが多種多様であり、送られる側の好みにも幅広く応えることができる。
【００１６】
なお、上記実施の形態では、菓子詰め容器を誕生日用に用いたが、誕生日以外の記念日用などに用いてもよい。また、菓子を収容する窪み１２の周囲にローソク立て用の有底孔１４を形成するのであれば、土手１１の形状や窪み１２,１４,１７,１８の形状、配置は自由であり、本実施の形態に限定されるものではない。すなわち、例えば土手１１をリング状ではなく四角、楕円、菱形などにしてもよく、また、プレゼントとして指輪やネックレスなどを贈る場合には、窪み１８の形状を指輪やネックレスをはめ込む形状とすればよい。さらにまた、窪み１７,１８を省略してもよい。１つの有底孔１４で２種類のローソク２１,２２を立てられるようにしたが、ローソク２１立て用の有底孔とローソク２２立て用の有底孔を別々に、例えば周方向に交互に設けてもよい。さらに、容器１の素材を樹脂以外の材料で形成してもよく、例えば全体を難燃性または不燃性の材料で形成してもよい。また、土手１１の部分だけ難燃性や不燃性の材料で形成してもよい。
【００１７】
図５は容器１の変形例を示す図である。図５では、窪み１７,１８の代わりに大型の窪み１９が設けられている。窪み１９にはプレゼントなどが収容される。また、土手１１には段付きの有底孔１４の代わりに有底孔２０が設けられている。有底孔２０は、その拡大図に示すように、穴の縁部２０ａから内径側に向かって複数のひだ２０ｂを有している。これにより、ひだ２０ｂの先端部２０ｃで小径のローソク２２を支持することができ、ひだ２０ｂを押しつぶせば縁部２０ａで大径のローソク２１を支持することができる。図６は、図５に示した容器１の表面に模様を施したものを示す図であり、例えば唐草模様状に表面が成型される。これにより、容器１が装飾性の高いものとなる。
【００１８】
以上の実施の形態と請求項との対応において、窪み１２が菓子を収容する収容部を、有底孔１４,２０がローソク立て用の穴を、仕切１３が規制部材を、窪み１７〜１９が他の収容物を収容する収容部を、土手１１が隆起部を、それぞれ構成する。
【００１９】
【発明の効果】
以上詳細に説明したように、本発明によれば、個々に密封された複数の菓子を収容する収容部の周囲にローソク立て用の穴を配設し、菓子収容部の底部に複数の菓子の位置を規制する規制部材を設けるようにしたので、菓子を囲むようにローソクを立てることができ、バースデー気分を味わうことができる。
【図面の簡単な説明】
【図１】本発明の実施の形態に係る菓子詰め合わせ容器の斜視図。
【図２】図１のII-II線断面図。
【図３】図１のIII-III線断面図。
【図４】本実施の形態に係わる菓子詰め合わせ容器を誕生日用として用いた場合の一例を示す図。
【図５】本実施の形態に係わる菓子詰め合わせ容器の変形例を示す図。
【図６】菓子詰め合わせ容器の表面に模様を施した例を示す図。
【符号の説明】
１  容器                            １１  土手
１２  窪み                            １３  仕切
１４  有底孔                        １７〜１９  窪み
２０  有底孔                        ２１,２２  ローソク
【図１】
0003753308.tif 000002
【図２】
0003753308.tif 000003
【図３】
0003753308.tif 000004
【図４】
0003753308.tif 000005
【図５】
0003753308.tif 000006
【図６】
0003753308.tif 000007